(57)【要約】【課題】湯切りを必要とする即席食品等容器の湯切り機能を有する蓋材において、湯切り口を開口する加工が容易で、かつこの加工工程が蓋材の積層工程等と同一ライン上で可能な湯切り機能付蓋材の提供にある。【解決手段】裏面が容器本体のフランジ部２１にシールされ、外周縁に開封用プルタブ１２を有し、少なくとも紙層１４を有する基材の裏面にシーラント層１６が積層されている湯切り機能を有する蓋材１において、前記開封用プルタブ１２と対峙する周縁近傍で、かつ該開封用プルタブ１２に対し水平に１本または数本のカットテープ４０がシーラント層１６面に又は基材とシーラント層の間に貼付されている湯切り機能を有する蓋材１とするものである。【選択図】図１
2005119680.tif 000002
【特許請求の範囲】
【請求項１】
裏面が容器本体のフランジ部にシールされる蓋材で、該フランジ部と略同形状で、外周縁に開封用プルタブを有し、少なくとも紙層を有する基材の裏面にシーラント層が積層されている湯切り機能を有する蓋材において、前記開封用プルタブと対峙する周縁近傍で、かつ該開封用プルタブに対し水平に１本または数本のカットテープがシーラント層面にもしくは基材とシーラント層の間に貼付されていることを特徴とする湯切り機能を有する蓋材。
【請求項２】
上記カットテープが貼付されている外周縁の近傍で、開封用プルタブと対峙する側に２次開封用プルタブが設けられていることを特徴とする請求項１記載の湯切り機能を有する蓋材。
【発明の詳細な説明】
【技術分野】
【０００１】
本発明は、焼そばなど即席食品等の密封包装に使用する容器の蓋材に関するものであり、特に即席食品を柔らかくほぐすために注入する熱湯を排出する湯切り口を備えた湯切り機能付蓋材に関する。
【背景技術】
【０００２】
従来、即席用の焼きそば、スパゲティ等を食するに際し、熱湯を注いで所定の時間が経過した後に排湯（湯切り）処理を必要とする即席食品用容器が知られ、その即席食品用容器の湯切り機能を有する蓋材は、例えば、図５の側断面図に示すように、突き破り用孔（７７）が穿設された表面シート（２０）の裏面にアルミニウム箔（１９）とシーラント層（１６）を積層したものがあるが、この蓋材では、搬送中などで意に反して突き破り用孔（７７）が破れたり、また湯切りに際しては、箸などで突き破り用孔（７７）からアルミニウム箔（１９）とシーラント層（１６）を突き破らなければならず、よって箸などを必要とすることや破られた開口部の大きさや形状が一定にならないのでスムーズな湯切りができず、また破りカスが食品等に混入する危惧があるなどの問題があった。
【０００３】
これらの問題を解決するものとして最近開発された蓋材として、例えば図６（ａ）の側断面図および図６（ｂ）の平面図に示すような即席食品を密封包装する湯切り口付剥離性蓋材（３）がある。それは、表面シート（２０）を外面側にして、その内面側（食品側）に複合シート（１０）（内面から、例えばシーラント層（１６）／アルミニウム箔（１９）／接着性樹脂層（１５）でなる）を重ね合わせ積層したシート状の蓋（例えば円形状）であり、その蓋の外周円弧部分からその内側にかけて一部領域の前記複合シート（１０）と表面シート（２０）との重ね合わせ内面には、易剥離剤（剥離ニス）を塗布することにより形成された易剥離層（３０）による易剥離領域（Ｌ１）を備え、それ以外の該複合シート（１０）と表面シート（２０）との重ねあわせ内面には、接着された状態の接着領域（Ｌ２）を備えている。
【０００４】
そして、上記の易剥離領域（Ｌ１）内における複合シート（１０）に１個所乃至数個所には、内径Ｒの湯切り孔形状の湯切り口形成用ハーフカット（５０）が形成され、該湯切り口形成用ハーフカット（５０）領域内の複合シート（１０）と表面シート（２０）の内面には内径ｒのハーフカット領域内接着部（６０）（易剥離層（３０）の形成されない部分）が設けられていて、複合シート（１０）と表面シート（２０）とは複合シート（１０）と表面シート（２０）とはハーフカット領域内接着部（６０）において互いに接着している。
【０００５】
上記のような構造の即席食品容器の湯切り口付剥離性蓋材（３）は、図７の側断面図に示すように、即席食品を入れた容器本体（２）の上端部にある開口フランジ部（２１）接着シールして容器本体（２）を密封包装することにより即席食品を密封包装した即席食品用容器となるものである。
【０００６】
上記のようして即席食品を密封包装した容器（２）は、図６（ｂ）に示す接着領域（Ｌ２）側の蓋材外周にある開封用プルタブ（１２）を引っ張り上げて、容器（２）のフランジ部（２１）から接着領域（Ｌ２）側の複合シート（１０）を部分的に剥がして開口し、その開口部より熱湯を注入した後、蓋材外周にある開封用プルタブ（１２）を再度フランジ部（２１）の外側に折り込むようにして施蓋し、数分間放置して容器本体（２）の中にある即席食品（図示せず）を柔らかくほぐす。
【０００７】
その後、図６（ｂ）に示す易剥離領域（Ｌ１）の外周にある湯切り口開口用プルタブ（１２）を引っ張り上げて、図８の側断面図に示すように、易剥離領域（Ｌ１）の表面シート（２０）を複合シート（１０）から剥離するとともに、この表面シート（２０）に接着している湯切り口形成用ハーフカット（５０）領域内の複合シート（１０）を切り離し、複合シート（１０）に内径Ｒの安定した大きさの湯切り口（７０）を形成した後、容器（２）を傾けて中にある湯を湯切り口（７０）から排出することができるようになっている（例えば、特許文献１参照。）。
【０００８】
しかしながら、上記の従来の湯切り口付剥離性蓋材（３）では、表面シートの裏面の易剥離層（３０）に内径ｒの非易剥離部即ち易剥離剤で非塗布部の形成、すなわちパターン形成という煩雑さと、この非塗布部即ち接着部（６０）を覆うように内径Ｒの湯切り形成用ハーフカット（５０）を施すという加工精度管理と、さらに易剥離剤の剥離性の管理等に難しさがあり、その結果として製造コストが嵩むという問題があった。
【０００９】
上記各ハーフカットの加工精度や剥離性の管理等に係る製造コストが嵩むという問題を解決するものとして、例えば図９（ａ）の上面図に示すように、裏面が容器本体のフランジ部（２１）にシールされ、そのフランジ部（２１）と同形の円形状で、その外周縁に開封用プルタブ（１２）と、この開封用プルタブ（１２）と対向する外周縁に湯切り口開口用プルタブ（１３）を有する湯切り機能を有する蓋材（１）において、前記湯切り口開口用プルタブ（１３）の基部両端（１３ａ、１３ｂ）の外側から開封用プルタブ（１２）側に向かって垂直に１／４程度の位置まで延び、そこからお互いに内側に回転するようにして湯切り口開口用プルタブ（１３）側に、シールされている容器のフランジ部（２１）の位置まで垂直に延び、そこから再度お互いに内側に回転するようにして開封用プルタブ（１２）側に垂直に延び、そこから再度お互いに内側に回転するようにして一致する３本手指形状の表ハーフカット溝（２４）が表面より刻設され、この図９（ａ）に示すＢ−Ｂ面に於ける側断面としての図９（ｂ）に示すように、例えば前記で刻設された表ハーフカット溝（２４）に１ｍｍ程度の一定の幅（Ｗ）で隣接して裏ハーフカット溝（２６）が裏面より刻設されていて、前記表ハーフカット溝（２４）と裏ハーフカット溝（２６）は、表面と裏面より基材（１１）を構成する紙層（１４）の中間まで刻設されている湯切り機能を有する蓋材（１）がある。
【００１０】
上記湯切り機能付蓋材（１）の開封は、図９（ａ）に示すように、外周縁にある開封用プルタブ（１２）を引っ張り上げ（図示せず）て、容器のフランジ部（２１）からシーラント層（図示せず）を部分的に剥がして開口し、その開口部より熱湯を注入した後、開封用プルタブ（１２）を再度フランジ部（２１）の外側に折り込むようにして施蓋し、例えば数分間放置して容器（図示せず）の中にある即席食品を柔らかくほぐす。
【００１１】
その後、図９（ａ）に示す外周縁にある湯切り口開口用プルタブ（１３）を引っ張り上げて、図１０の上面図に示すように、容器のフランジ部（２１）から剥離することによって、比較的容易に湯切り口（７０）を形成して開口され、この湯切り口（７０）から排湯できるようになっているものがある（例えば、特許文献２参照。）。
【００１２】
以下に、上記先行技術文献を示す。
【特許文献１】特開２０００−１０９１４１号公報
【特許文献２】特開２０００−１６０７５８号公報
【発明の開示】
【発明が解決しようとする課題】
【００１３】
しかしながら、上記表面より刻設する表ハーフカット溝（２４）と裏面より刻設する裏ハーフカット溝（２６）でなる湯切り機能を有する蓋材においては、このハーフカット溝で見られる直線カット性に欠け、さらにこれら表ハーフカット溝（２４）と裏ハーフカット溝（２６）の刻設精度の管理が難しく、かつこの加工工程が蓋材の積層工程と別ラインで行わねばならないという製造（エネルギー）コストが嵩む等問題点があった。
【００１４】
本発明は、かかる従来技術の問題点を解決するものであり、その課題とするところは、湯切りを必要とする即席食品等容器の湯切り機能を有する蓋材において、湯切り口を露出させるための蓋材への加工が、従来のように非剥離部の形成やパターン化された易剥離層の剥離性の管理およびハーフカットの位置精度、刻設精度の管理等の難しさがなく、かつこの湯切り口を露出させるための加工工程が蓋材の積層工程と同一ライン上で可能な湯切り機能付蓋材を提供することにある。
【課題を解決するための手段】
【００１５】
本発明に於いて上記課題を達成するために、まず請求項１の発明では、裏面が容器本体のフランジ部にシールされる蓋材で、該フランジ部と略同形状で、外周縁に開封用プルタブを有し、少なくとも紙層を有する基材の裏面にシーラント層が積層されている湯切り機能を有する蓋材において、前記開封用プルタブと対峙する周縁近傍で、かつ該開封用プルタブに対し水平に１本または数本のカットテープがシーラント層面にもしくは基材とシーラント層の間に貼付されていることを特徴とする湯切り機能を有する蓋材としたものである。
【００１６】
また、請求項２の発明では、上記カットテープが貼付されている外周縁の近傍で、開封用プルタブと対峙する側に２次開封用プルタブが設けられていることを特徴とする請求項１記載の湯切り機能を有する蓋材としたものである。
【００１７】
上記請求項でいうカットテープとは、ポリエチレンやポリエステル等フィルムを一軸方向に延伸し、それを幅３〜１０ｍｍ位の細幅にカットしてなるテープで、例えば包装紙や軟包装袋等に貼付し、それを引っ張り上げることにより引き裂かれて開口せしめるもので、Ｔｅａｒ  Ｔａｐｅとも言われている。
【発明の効果】
【００１８】
本発明は以上の構成であるから、下記に示す如き効果がある。
【００１９】
即ち、上記請求項１に係る発明によれば、外周縁に開封用プルタブを有し、紙層を有する基材の裏面にシーラント層が積層されている湯切り機能を有する蓋材において、前記開封用プルタブと対峙する周縁近傍で、かつ該開封用プルタブに対し水平に１本または数本のカットテープがシーラント層面にもしくは基材とシーラント層の間に貼付されている構成とするもので、この湯切り機能を有する蓋材の構成は、基本的には紙層を有する基材とシーラント層からなるシンプルな構成でなり、かつ従来のような易剥離層や湯切り口の形成のためのハーフカットを必要とせず、即ちパターン化された易剥離層の剥離性の管理やハーフカットの位置精度の管理等の難しさがなく、さらにカットテープの貼付が蓋材の積層工程とインラインで行うことができるので、生産管理が容易でかつ高効率な、即ち生産コストが嵩まない湯切り機能を有する蓋材を提供することができ、かつ湯切り口の開口に際し、カットテープを引っ張り上げるのみで容易に開口するすることができる湯切り機能を有する蓋材とすることができる。
【００２０】
また、上記請求項２に係る発明によれば、カットテープが貼付されている外周縁の近傍で、かつ開封用プルタブと対峙する側に２次開封用プルタブを設けることによって、湯切り後、焼きそば等食品を食するに際し、このカットテープで開口した湯切り口より開封用
プルタブ側の蓋材を開封し、さらに残った蓋材を容器本体のフランジ部から剥離して食し易いようにした湯切り機能を有する蓋材を提供できる。
【００２１】
従って本発明は、焼そばなど即席食品等の密封包装に使用する容器の蓋材で、特に即席食品を柔らかくほぐすために注入する熱湯を排出する湯切り口を備えた湯切り機能付蓋材として、上記のような優れた実用上の効果を発揮する。
【発明を実施するための最良の形態】
【００２２】
以下本発明を実施するための最良の形態を図面を用いて詳細に説明する。
【００２３】
図１は、本発明に係る湯切り機能を有する蓋材についての一例を例示し、その上面図とその上面図のＢ−Ｂ面における切断断面図であり、図２は他の事例を示す切断断面図とその上面の拡大図である。また、図３は、本発明の湯切り機能を有する蓋材を用いて湯切り口を開口した一事例を示す上面図であり、図４は、湯切り機能を有する蓋材の他の形状を表す上面図である。
【００２４】
まず、上記請求項１の発明に係る湯切り機能を有する蓋材は、例えば図１（ａ）に示すように、裏面が容器本体のフランジ部（２１）にシールされる蓋材で、そのフランジ部（２１）と同形の四角形状で、その外周縁の一コーナーに開封用プルタブ（１２）を有し、例えば図１（ｂ）に示すように、紙層（１４）の裏面に目止めニス層（１８）と接着性樹脂層（１５）とバリア材としてのアルミニウム箔（１９）とを有する基材の裏面にシーラント層（１６）が順に積層されている湯切り機能を有する蓋材（１）であって、開封用プルタブ（１２）が施されているコーナーと対峙するコーナーの近傍で、この開封用プルタブ（１２）に対し水平に２本のカットテープ（４０）が裏面のシーラント層（１６）面に貼付されているものである。
【００２５】
また、上記請求項１に係る発明では、例えば図２（ａ）に示すように、２本のカットテープ（４０）の貼付を、基材を構成するアルミニウム箔（１９）とその裏面に積層するシーラント層（１６）の間に挟み込むようにした湯切り機能を有する蓋材（１）とすることもできる。
【００２６】
また、上記請求項２に係る発明は、例えば図１（ａ）に示すように、２本のカットテープ（４０）が貼付されている外周縁近傍で、開封用プルタブ（１２）が施されているコーナーと対峙するコーナー側に２次開封用プルタブ（１７）がそれぞれ設けられている湯切り機能を有する蓋材（１）である。
【００２７】
上記カットテープ（４０）の貼付本数は、１本でもよく、湯切りを素早くするために３本から４本程度としてもよく、内容物や容器の大きさ等によってその本数を選定することができる。
【００２８】
また、例えば図１（ａ）に示すように、貼付されているカットテープ（４０）の少なくとも一方の、好ましくは２次開封用プルタブ（１７）と反対側の端部両側に、カットテープ（４０）を引っ張り上げるための「きっかけ」となるノッチ（４２）あるいは切り込み（図示せず）を刻設することもできる。
【００２９】
また、例えば図２（ｂ）に示すように、貼付されているカットテープ（４０）の少なくとも一方の、好ましくは２次開封用プルタブ（１１）と反対側の端部に、この端部から僅かに露出している露出カットテープ（４０ａ）を設けて、このカットテープ（４０）を引っ張り上げるための「きっかけ」となるようにすることもできる。
【００３０】
上記湯切り機能付蓋材（１）の開封は、図１（ａ）に示すような外周縁にある開封用プルタブ（１２）を引っ張り上げて、容器のフランジ部（２１）からシーラント層（図示せず）を部分的に剥がして開口し、その開口部より熱湯を注入した後、開封用プルタブ（１２）を再度フランジ部（２１）の外側に折り込むようにして施蓋し、例えば数分間放置して容器（図示せず）の中にある即席食品を柔らかくほぐす。
【００３１】
その後、図１（ａ）に示すような外周縁にある開封用プルタブ（１２）が施されているコーナーと対峙するコーナー近傍に貼付されている２本のカットテープ（４０）を、張り上げるための「きっかけ」となるノッチ（４２）を頼りに引っ張り上げて、図３に示すように、容器のフランジ部（２１）から剥離することによって、比較的容易に２本の湯切り口（７０）を形成して開口することができる。
【００３２】
上記のようにして湯切り機能を有する蓋材（１）の周縁に形成された湯切り口（７０）が下側になる（開封用プルタブ（１２）が上側になる）ように容器本体毎傾けて、容器の中にある残湯を、この湯切り口（７０）から排出できるようにしたものである。
【００３３】
次いで、湯切りされた焼きそば等即席食品を食するに際し、図３に示すような開封用プルタブ（１２）側から開口された湯切り口（７０）まで容器本体のフランジ部（２１）より完全に剥離して食することもできるが、さらに２本の湯切り口（７０）近傍で、開封用プルタブ（１２）が施されているコーナーと対峙するコーナー側に設けられている２次開封用プルタブ（１１）を摘んで引っ張り上げ、その２次開封用プルタブ（１１）が設けられている残りの蓋材を剥離して、より食べやすいようにすることもできる。
【００３４】
上記本発明の湯切り機能を有する蓋材（１）の形状として、図１（ａ）に示すような略正方形状のものとする他に、例えば図４（ａ）に示すような円形状で、その外周縁に開封用プルタブ（１２）が設けられ、この開封用プルタブ（１２）に対峙する外周縁近傍で、この開封用プルタブ（１２）と水平にカットテープ（４０）が貼付された湯切り機能を有する蓋材（１）とすることもでき、さらにまた、図４（ｂ）に示すような、長方形状で一方の短辺に開封用プルタブ（１２）が設けられ、この開封用プルタブ（１２）に対峙する短辺周縁近傍で、この短辺と平行にカットテープ（４０）を施したものとすることもできる。
【００３５】
以上のように、本発明の湯切り機能付蓋材（１）は、図６（ａ）の側断面図および図６（ｂ）の平面図に示すような、従来の湯切り口付剥離性蓋材（３）を構成する易剥離層（３０）を必要とせず、従ってパターン化された易剥離層（３０）の形成やその剥離性の管理、さらには湯切り口形成用ハーフカット（５０）のパターン化された易剥離層（３０）に対する位置精度の管理等の煩雑さがなく、さらにまた、図９（ａ）および図９（ｂ）に示すような、従来の湯切り機能を有する蓋材（１）を構成する表ハーフカット溝（２４）に１ｍｍ程度の一定の幅（Ｗ）で隣接して裏ハーフカット溝（２６）が裏面より刻設されている湯切り機能を有する蓋材のように、このハーフカット溝で見られる直線カット性に欠けることがなく、さらにこれら表ハーフカット溝（２４）と裏ハーフカット溝（２６）の刻設精度の管理を必要とせず、かつカットテープ（４０）の貼付工程が蓋材の積層工程とインラインで行うことができるので、生産管理が容易な、すなわち生産コストが嵩まない湯切り機能を有する蓋材（１）を提供することができる。
【００３６】
以下に本発明の湯切り機能を有する蓋材（１）に使用する材料およびその使用方法等について具体的に説明する。
【００３７】
まず、本発明の湯切り機能を有する蓋材（１）を構成するカットテープ（４０）としては、厚さ５０μｍ程度の高密度ポリエチレン、ポリプロピレン、ポリエステル、ポリアミ
ド等樹脂のフィルムを一軸方向へ延伸し、それを幅５ｍｍ程度の細幅に、延伸方向にカットしたものが使用され、被貼着体が紙の場合は、片面に一般の粘着剤により処理されたものが好ましく、また本発明の事例のように被貼着体がアルミニウム箔（１９）の場合は、予め感熱性粘着組成物が塗布されているものが好ましく、その感熱性粘着組成物としては、例えば、接着力を与えるポリ酢酸ビニル、エチレン−酢酸ビニル、ポリアクリル酸エステル系、天然ゴム、合成ゴム等の高分子材料と、加熱により活性化された際に粘着性を増強せしめるロジン誘導体、テルペン樹脂系、石油樹脂系、キシレン樹脂系等の粘着付与剤と、熱活性化後の粘着保持時間を長くするフタル酸ジフェニル、フタル酸ジヘキシル、フタル酸ジシクロヘキシル等の固体可塑剤とからなり、常温では粘着性がないが加熱によって粘着性が生じて、それが冷却後もなかりの期間持続する接着（粘着）剤である。また、本発明の他の事例のようにシーラント層（１６）面に貼付する場合は、上記粘着剤等を必要としない。
【００３８】
上記のような構成のカットテープ（４０）の貼着は、例えば紙層（１４）への印刷と同時に（インライン）で行うことができ、生産効率に優れる湯切り機能を有する蓋材（１）とすることができる。
【００３９】
また、本発明の湯切り機能を有する蓋材（１）を構成する基材に、図１（ｂ）の側断面積層図に示すように、表面に一般的には印刷等を施すための紙層（１４）が用いられ、この紙層（１４）としては、少なくとも表面が白色で多色印刷適性を有するものが好ましく、例えば、坪量５０ｇ／ｍ２  〜１３５ｇ／ｍ２  程度の両アート紙、片アート紙あるいは両面コート紙、片面コート紙などを好適に使用することができる。
【００４０】
また、本発明の湯切り機能を有する蓋材（１）を構成するシーラント層（１６）としては、例えばヒートシール性に優れる直鎖低密度ポリエチレン（ＬＬＤＰＥ）、低密度ポリエチレン（ＬＤＰＥ）、高密度ポリエチレン（ＨＤＰＥ）、無延伸ポリプロピレン（ＣＰＰ）等のポリオレフィン樹脂あるいはエチレン／酢酸ビニル共重合体（ＥＶＡ）、エチレン／アクリル酸共重合体（ＥＡＡ）、エチレン／メタアクリル酸共重合体（ＥＭＡＡ）等エチレン共重合樹脂のフィルムが好適に用いられ、さらにこれらポリオレフィン樹脂にポリスチレンやポリブデン等からなる、該ポリオレフィン樹脂に対し不相溶性成分を混合したものとすることもできる。また、エチレン／酢酸ビニル共重合樹脂、エチレン／アクリル酸共重合樹脂等からなるホットメルト接着剤を塗布量１５〜２５ｇ／ｍ２  程度で設けてもよく、これらシーラント層（１６）によって容器本体（２）のフランジ部（２１）との充分な密封性と剥離開封性を可能とすることができる。
【００４１】
また、食品等に対する遮光やガスバリアなど保存性を考慮して、基材にアルミニウム箔（１９）を積層することが一般的であり、このアルミニウム箔（１９）は、特に本発明の湯切り機能を有する蓋材（１）のように、開封用プルタブ（１２）より一部を開封剥離して、熱湯を注ぐに際し、蓋材が剥離された状態を保持している性質（デッドホールド性という）を有すると、熱湯を安全に確実に注ぎ易くすることから好適に使用される。
【００４２】
また、上記紙層（１４）の裏面に施して紙層（１４）の目止めをし、その面に接着性樹脂層（１５）の塗布における紙層への浸透を防いで接着力を上げるため目止めニス層（１８）が一般的に用いられ、その目止めニス層（１８）としては、上記紙でなる紙層（１４）の目止めをするもので、例えば硝化綿系（ニトロセルロース）樹脂とウレタン系樹脂、アミノアルキッド系樹脂、ポリアミド系樹脂、ポリエステル系樹脂の混合ニスなどが挙げられるがこれらに限定するものではない。
【００４３】
また、上記アルミニウム箔（１９）を目止めニス層（１８）が施された紙層（１４）に接着させる接着樹脂層（１５）としては、蓋材の生産性を考慮して、例えば熱溶融押出し
によるポリエチレン樹脂、アイオノマー樹脂、ポリプロピレン樹脂等が好ましく用いられるが、これらに限定するものではない。
【００４４】
以上のような本発明の湯切り機能を有する蓋材（１）は、熱湯を注いで柔らかくほぐし、湯切りしてから食する即席焼きそばや即席生麺などの容器の蓋材として、好適に用いられるものである。
【図面の簡単な説明】
【００４５】
【図１】本発明の湯切り機能を有する蓋材の一実施の形態を示すもので、（ａ）は、その上面図であり、（ｂ）は、（ａ）のＢ−Ｂ面を表す断面図である。
【図２】本発明の湯切り機能を有する蓋材の他の一実施の形態を示すもので、（ａ）は、その側断面図であり、（ｂ）は、上面の一部を表す拡大図である。
【図３】本発明の湯切り機能を有する蓋材の一事例で、湯切り口を開口したときの上面を表す説明図である。
【図４】本発明の湯切り機能を有する蓋材の形状の事例を示すもので、（ａ）は、円形状の蓋材の上面図であり、（ｂ）は、長方形状の蓋材の上面図である。
【図５】従来の湯切り口付蓋材の一事例を説明する側断面図である。
【図６】従来の湯切り口付剥離性蓋材の一事例を説明するもので、（ａ）は、その側断面図であり、（ｂ）は、その上面図である。
【図７】従来の湯切り口付剥離性蓋材を容器と一体化した一事例を説明する側断面図である。
【図８】従来の湯きり口付剥離性蓋材の表面シートを剥離し、湯切り口を形成した一事例の側断面図である。
【図９】従来の湯切り機能を有する蓋材の他の一事例を示すもので、（ａ）は、その上面図であり、（ｂ）は、そのＢ−Ｂ面を表す側断面図である。
【図１０】従来の湯切り機能を有する蓋材の湯切り口を開口した一事例を示す上面図である。
【符号の説明】
【００４６】
１‥‥湯切り機能を有する蓋材
２‥‥容器本体
３‥‥湯切り口付剥離性蓋材
１０‥‥複合シート
１１‥‥基材
１２‥‥開封用プルタブ
１３‥‥湯切り口開口用プルタブ
１３ａ‥‥開封用プルタブ側の基部端
１３ｂ‥‥開封用プルタブと反対側の基部端
１４‥‥紙層
１５‥‥接着性樹脂層
１６‥‥シーラント層
１７‥‥２次開封用プルタブ
１８‥‥目止めニス層
１９‥‥アルミニウム箔
２０‥‥表面シート
２１‥‥フランジ部
２２‥‥ミシン目
２４‥‥表ハーフカット溝
２６‥‥裏ハーフカット溝
３０‥‥易剥離層
４０‥‥カットテープ
４０ａ‥‥露出カットテープ
４２‥‥ノッチ
５０‥‥湯切り口形成用ハーフカット
６０‥‥ハーフカット領域内接着部
７０‥‥湯切り口
７７‥‥突き破り用孔
Ｌ１‥‥易剥離領域
Ｌ２‥‥接着領域
Ｒ‥‥湯切り口形成用ハーフカットの内径
Ｗ‥‥表ハーフカット溝と裏ハーフカット溝の一定の幅
ｒ‥‥ハーフカット領域内接着部の内径
【図１】
2005119680.tif 000003
【図２】
2005119680.tif 000004
【図３】
2005119680.tif 000005
【図４】
2005119680.tif 000006
【図５】
2005119680.tif 000007
【図６】
2005119680.tif 000008
【図７】
2005119680.tif 000009
【図８】
2005119680.tif 000010
【図９】
2005119680.tif 000011
【図１０】
2005119680.tif 000012